(57)【特許請求の範囲】
【請求項１】
ユーザ携帯端末と、複数の施設とから構成され、
各施設は各情報提供ホームページおよび各情報提供ホームページに接続する各ローカルネットワークとから構成され、
前記ユーザ携帯端末は、デジタル情報の送受信ができる携帯端末使用者が使用する情報処理装置であり、前記情報提供ホームページの共通アドレスに関連付けられたボタンを持ち、無線LANで前記各ローカルネットワークに接続する機能と、得られた情報を表示する機能とを備え、
前記各情報提供ホームページは、前記各ローカルネットワーク上にあり、前記共通アドレスでアクセスされ、
前記各ローカルネットワークは、それぞれ前記各施設固有の独立したネットワークであり、無線LANシステムを持ち、無線LANにより接続できる機能を備えている、携帯端末による情報提供ホームページへの接続システム。
【請求項２】
ユーザ携帯端末と、複数の施設とから構成され、
各施設は各情報提供ホームページおよび各情報提供ホームページに接続する各ローカルネットワークとから構成され、
前記ユーザ携帯端末は、デジタル情報の送受信ができる携帯端末使用者が使用する情報処理装置であり、前記情報提供ホームページの共通アドレスに関連付けられたボタンを持ち、有線LANで前記各ローカルネットワークに接続する機能と、得られた情報を表示する機能とを備え、
前記各情報提供ホームページは、前記各ローカルネットワーク上にあり、前記共通アドレスでアクセスされ、
前記各ローカルネットワークは、それぞれ前記各施設固有の独立したネットワークであり、有線LANシステムを持ち、有線LANにより接続できる機能を備えている、携帯端末による情報提供ホームページへの接続システム。
【請求項３】
各施設がローカルネットワーク上に自身の情報を公開する情報提供ホームページを用意するステップと、
情報を得たい第１の施設において、前記第１の施設の情報提供ホームページの共通アドレスに関連付けられたボタンの押下により、ユーザ携帯端末が、無線LANを介して前記共通アドレスの前記第１の施設の情報提供ホームページにアクセスし、前記第１の施設の情報提供ホームページを表示するステップと、
情報を得たい第２の施設において、前記第２の施設の情報提供ホームページの共通アドレスに関連付けられたボタンの押下により、ユーザ携帯端末が、無線LANを介して前記共通アドレスの前記第２の施設の情報提供ホームページにアクセスし、前記第２の施設の情報提供ホームページを表示するステップと、を有する携帯端末による情報提供ホームページへの接続方法。
【請求項４】
各施設がローカルネットワーク上に自身の情報を公開する情報提供ホームページを用意するステップと、
情報を得たい第１の施設において、前記第１の施設の情報提供ホームページの共通アドレスに関連付けられたボタンの押下により、ユーザ携帯端末が、有線LANを介して前記共通アドレスの前記第１の施設の情報提供ホームページにアクセスし、前記第１の施設の情報提供ホームページを表示するステップと、
情報を得たい第２の施設において、前記第２の施設の情報提供ホームページの共通アドレスに関連付けられたボタンの押下により、ユーザ携帯端末が、有線LANを介して前記共通アドレスの前記第２の施設の情報提供ホームページにアクセスし、前記第２の施設の情報提供ホームページを表示するステップと、を有する携帯端末による情報提供ホームページへの接続方法。
【発明の詳細な説明】
【０００１】
【発明の属する技術分野】
携帯端末による情報提供ホームページへの接続システム及び接続方法に関する。
【０００２】
【従来の技術】
従来の情報提供の方法は、特開２０００−２５９６６３号公報に開示された「無線ＬＡＮ携帯端末によるデータベース検索システム」、特開２００１−２８５３３２号公報に開示された「情報配信システム」、及び特開２００１−３０６７１９号公報に開示された「無線ＬＡＮ携帯端末によるデータベース検索システム」のように、１つの決まった情報配信サーバと無線ＬＡＮ携帯端末との情報送受信方法が示されている。
【０００３】
従来の情報提供の方法は、情報提供側のアクセスポイントが自身の管理する領域にユーザ携帯端末が入ってきたかどうかを検出する必要があった。さらにユーザ認証など独自のアクセスシステムを構築しなければならなかった。また情報端末使用者は情報を提供する特定の施設に赴いたとき、その施設に対応したアドレスにアクセスしなければ情報が得られず、アドレスの管理が必要だった。
【０００４】
【発明が解決しようとする課題】
上述の従来の情報提供の方法は、特開２０００−２５９６６３号公報に開示された「無線ＬＡＮ携帯端末によるデータベース検索システム」では、無線ＬＡＮ携帯端末がアクセス可能になったことを検知する機能が必要である。特開２００１−２８５３３２号公報に開示された「情報配信システム」では、携帯端末から送信されたＩＤが既登録であるか否かを確認する確認手段が必要である。特開２００１−３０６７１９号公報に開示された「無線ＬＡＮ携帯端末によるデータベース検索システム」では、携帯型情報端末は、サーバへのアクセスが電子整理券を取得することにより可能となる手順が必要である。
【０００５】
本発明の目的は、以上の問題点を解決する情報提供システムおよび情報提供方法を提供することにある。
即ち、本発明の目的は、１つの情報配信サーバとの情報送受信方法だけでなく、無線ＬＡＮ携帯端末から１つのアドレスで複数の情報配信サーバへのアクセスができることにある。言い換えれば、無線ＬＡＮ携帯端末側で、複数の情報配信サーバへアクセスする場合でも、それぞれの情報配信サーバのアドレスをすべて管理する必要がなくなることにある。
また、本発明の目的は、一般のＷＷＷサーバ上のホームページと同様のアクセス方法で情報配信サーバ上の情報提供ホームページに無線ＬＡＮ携帯端末からアクセスするため、不特定多数からのアクセスが可能になることにある。
【０００６】
【課題を解決するための手段】
本発明は、携帯端末使用者がショッピングセンターや図書館、美術館など公の施設に赴いた際に携帯端末のボタン操作のみで赴いた施設のローカルネットワーク上にある情報提供ホームページに接続し情報を得る事ができる接続システム及び接続方法を提供するものである。
ショッピングセンターや図書館、美術館などの公の施設は、自身の情報を提供する情報提供ホームページを用意する。情報提供ホームページは、それぞれ施設のローカルネットワーク上に有り独立しており、なおかつ情報提供ホームページのアドレスは公に定めた１つの共通のアドレスにする。さらにローカルネットワークは無線ＬＡＮシステムを有する。携帯端末使用者が情報提供ホームページを用意している施設に赴いた際に自分のユーザ携帯端末のボタンを押下すると、無線LANを介し自動的に情報提供ホームページを表示し情報を得ることができる。また携帯端末使用者が次に情報提供ホームページを用意している施設に赴いた際に自分のユーザ携帯端末のボタンを押下すると、無線LANを介し自動的に情報提供ホームページを表示し情報を得ることができる。このように、携帯端末使用者は赴いた施設の情報提供ホームページのアドレスを選択したり検索したりすることなく、自分のユーザ携帯端末のボタンを押下するというひとつの操作だけで、随時必要な情報を得ることができる。
携帯端末使用者は自分のユーザ携帯端末にあらかじめ共通アドレスを登録しておく。また携帯端末販売者があらかじめ販売時に共通アドレスを登録しておいても良い。
また、ユーザ携帯端末のボタンは、ハードウェアボタンでもソフトウェアボタンでもかまわない。
【０００７】
【発明の実施の形態】
（本発明の第１の実施の形態）
図１を参照すると、本発明の情報提供ホームページへの接続方法の第1の実施の形態は、ユーザ携帯端末１０と、施設１１１、２１１、３１１とから構成されている。施設１１１は情報提供ホームページ１１０および情報提供ホームページ１１０に接続するローカルネットワーク１００とから構成されている。施設２１１は情報提供ホームページ２１０および情報提供ホームページ２１０に接続するローカルネットワーク２００とから構成されている。施設３１１は情報提供ホームページ３１０および情報提供ホームページ３１０に接続するローカルネットワーク３００とから構成されている。
【０００８】
ユーザ携帯端末１０は、携帯できるパーソナルコンピュータ（たとえばノートブックタイプ）やPDAなどデジタル情報の送受信ができる携帯端末使用者が使用する情報処理装置である。ユーザ携帯端末１０は、情報提供ホームページの共通アドレスAに関連付けられたボタン１１を持ち、無線LANでローカルネットワーク１００、２００、３００に接続する機能、得られた情報を表示する機能を備えている。
【０００９】
情報提供ホームページ１１０、２１０、３１０は、ショッピングセンターや図書館、美術館など公の施設が顧客や利用者に自身の情報、たとえばショッピングセンターの施設案内や特売情報、新規購入図書や特別展示案内などを提供するためのホームページである。情報提供ホームページ１１０はローカルネットワーク１００上にあり、公に定めたアドレスAでアクセスされる。情報提供ホームページ２１０はローカルネットワーク２００上にあり、公に定めたアドレスAでアクセスされる。情報提供ホームページ３１０はローカルネットワーク３００上にあり、公に定めたアドレスAでアクセスされる。
ローカルネットワーク１００、２００、３００は、それぞれ施設１１１、２１１、３１１固有の独立したネットワークであり、インターネットなど公のネットワークには接続されていない。また、ローカルネットワーク１００、２００、３００は無線LANシステムを持ち、無線LANにより接続できる機能を備えている。
次に図１および図２を参照して本実施の形態の全体の動作について詳細に説明する。
【００１０】
図２を参照すると、施設１１１はローカルネットワーク１００上に自身の情報を公開するホームページ１１０を用意する（ステップA1）。施設２１１はローカルネットワーク２００上に自身の情報を公開するホームページ２１０を用意する（ステップA２）。施設３１１はローカルネットワーク３００上に自身の情報を公開するホームページ３１０を用意する（ステップA３）。携帯端末使用者は、情報を得たい施設１１１に赴く（ステップA4）とボタン１１を押下する（ステップA５）。これに対応してユーザ携帯端末１０は、無線LANを介してアドレスAのホームページにアクセスし、情報提供ホームページ１１０を表示する（ステップA６）。携帯端末使用者は施設１１１の情報提供ホームページ１１０のアドレスを確認する必要は無い。
次に携帯端末使用者はあらたな別の施設２１１に赴き（ステップA7）ボタン１１を押下する（ステップA8）。これに対応してユーザ携帯端末１０は、無線LANを介してアドレスAのホームページにアクセスし、情報提供ホームページ２１０を表示する（ステップA９）。携帯端末使用者は施設２１１の情報提供ホームページ２１０のアドレスを確認する必要は無い。
以上のように、携帯端末使用者は各施設の情報提供ホームページのアドレスを管理したり検索したりすることなく、その施設に赴きユーザ携帯端末１０のボタン１１を押下するだけで、赴いた施設のホームページにアクセスし、情報を得ることができる。また情報を提供する側の施設１１１、２１１、３１１は、自身の情報提供ホームページ１１０、２１０、３１０を定められたアドレスAに対応させてローカルネットワーク１００、２００、３００上に提供するだけで、ユーザが施設に居るか居ないか、あるいはホームページサーバにアクセスされたかどうかなどの状態を常に把握する必要が無くなり、端末検索やユーザ認証などのわずらわしい工程から開放される。
【００１１】
（発明の第２の実施の形態）
発明の第２の実施の形態は、発明の第１の実施の形態の無線LANの構成に代えて、ローカルネットワーク上に有線LANが接続できるアクセスポイントを用意することにより、無線LANのインターフェースを持たないユーザ携帯端末にも対応できる。
【００１２】
【発明の効果】
以上説明したように、本発明には以下の効果がある。
【００１３】
第1の効果は、１つのホームページアドレスで、複数の施設のホームページへのアクセスが可能であることである。従って、複数のアドレスを管理する必要が無くなるという効果がある。
【００１４】
第2の効果は、情報を提供する施設側が端末検索やユーザ認証などのシステムを独自構築しなくて良いことにある。このことによりローカルネットワークの負荷も軽減できるという効果がある。
【図面の簡単な説明】
【図１】本発明の情報提供ホームページへの接続方法の第1の実施の形態の構成を示す図である。
【図２】本発明の情報提供ホームページへの接続方法の第1の実施の形態の全体の動作について詳細に説明する図である。
【符号の説明】
１０    ユーザ携帯端末
１１    ボタン
１００、２００、３００    ローカルネットワーク
１１０、２１０、３１０    情報提供ホームページ
１１１、２１１、３１１    施設
【図１】
0003890248.tif 000002
【図２】
0003890248.tif 000003